(57)【要約】【課題】  搬送される布類が隣接コンベアの一方から他方へ乗り移る際に布類に皺等の変形を生じないようにする。【解決手段】  布類Ｗを搬送する過程において、隣接コンベア１６、１８の一方１６から他方１８へ布類Ｗが乗り移る際に、隣接コンベアの速度差により布類Ｗに皺等の変形が起こらないようにする装置として、布類Ｗの上面に接触して、コンベア表面方向へ押す作用をする押しロール２０を具備し、押しロール２０は、布類Ｗの搬送方向と交差する方向に配置し、布類Ｗの上面に接触する作用位置と接触しない退避位置間を移動可能に設けるという手段を講じる。【選択図】          図５
2005278688.tif 000002
【特許請求の範囲】
【請求項１】
布類を搬送する過程において、隣接コンベアの一方から他方へ布類が乗り移る際に、隣接コンベアの速度差により布類に皺等の変形が起こらないようにする装置であって、布類の上面に接触して、コンベア方向へ押す作用をする押しロールを具備し、押しロールは、布類の搬送方向と交差する方向に配置し、布類の上面に接触する作用位置と接触しない退避位置間を移動可能に設けられていることを特徴とする布類における皺等の変形防止装置。
【請求項２】
隣接コンベアは、上下面内において１８０度未満の傾斜関係をもって配置されている請求項１記載の布類における皺等の変形防止装置。
【請求項３】
押しロールは、隣接コンベアの他方に相当する進入側コンベアの方に、同コンベアの全幅に及ぶ長さをもって、コンベア表面の移動方向に対して直交配置され、コンベア側枠等に設けた支点にシーソー式に揺動可能なアームに取り付けられることにより、進入側コンベア表面に対して接触、離間可能に設けられ、アームの他端に設けた駆動部により駆動する構成を有している請求項１記載の布類における皺等の変形防止装置。
【発明の詳細な説明】
【技術分野】
【０００１】
本発明は、布類を搬送する過程において、隣接コンベアの一方から他方へ布類が乗り移る際に、隣接コンベアの速度差により布類に皺等の変形が起こらないようにする装置に関するものである。
【背景技術】
【０００２】
ベッドカバーやシーツ或いは掛けぶとんに使用した包布などの布類はホテル、旅館或いは病院その他の施設から回収され、洗濯の上、配送するシステムを循環する。その作業を行う工場では、洗濯、脱水工程の後、種類毎に仕分けされた布類を投入機によりラインに投入し、アイロナーと呼ばれるアイロン掛け装置や、フォルダーなどと呼ばれる折り畳み機を経て、アイロンを掛け、一定の形態に折り畳んで再びホテル等の需要者のもとに配送する。工場における洗濯、折り畳み等の作業の間、布類はコンベアによって搬送され、各作業工程を移動する。
【０００３】
ところが、コンベアの搬送速度を全部一致させることは困難であり、そのため、隣接コンベア間に速度差が発生するという問題がある。排出側コンベアよりも進入側コンベアの方の速度が早い場合には布類の先端側に引っ張られその反動で皺が寄ることがあり、逆の場合には後方から押されるため、布類に圧縮力が働き、褶曲により皺を発生するからである。また、コンベアは隣接しているものが同一平面上にあれば良いが、そうした例より
も、傾斜関係にあることも少なくない。傾斜は１８０度未満の広角の交差角度θであることがほとんどである。
【０００４】
図７、図８はこのような隣接コンベアにおいて、進入側が早い場合の例を示しており、隣接部にて布類Ｗの後端が進入側コンベアへ乗り移るまでの間、布類は両コンベア間に浮き上がり気味となる。そのため、コンベア表面との間に空気が入って皺の原因となった
り、速度差がないとしても交差角度に基く隣接コンベア間の段差により、皺を誘発しやすい状況である。
【発明の開示】
【発明が解決しようとする課題】
【０００５】
本発明は前記の実情に着目してなされたものであり、その課題は、搬送される布類が隣接コンベアの一方から他方へ乗り移る際に布類に皺等の変形が起こらないようにすることである。また本発明の他の課題は、作業ラインに投入した時点では存在しなかった皺等の変形が搬送の途中で布類に発生し、残存したまま処理され品質を低下されるようになることを防止することである。
【課題を解決するための手段】
【０００６】
前記の課題を解決するため本発明は、布類を搬送する過程において、隣接コンベアの一方から他方へ布類が乗り移る際に、隣接コンベアの速度差により布類に皺等の変形が起こらないようにする装置として、布類の上面に接触して、コンベア表面方向へ押す作用をする押しロールを具備し、押しロールは、布類の搬送方向と交差する方向に配置し、布類の上面に接触する作用位置と接触しない退避位置間を移動可能に設けるという手段を講じたものである。
【０００７】
本発明の装置は、布類が複数のコンベアを渡って搬送されるときに、隣接コンベアの一方に当たる上流の排出側コンベアから、隣接コンベアの他方に当たる下流の進入側コンベアへ乗り移ることに伴う、皺等の変形の問題を取り扱っている。複数のコンベアは、速度差があるものとし、また上下面内において１８０度未満の傾斜関係をもって配置されているものも対象となる。速度差は、前述のように排出側コンベアよりも進入側コンベアが高速の場合の方が、布類の変形を誘発する原因となることが多い。速度差は、例えば布類を投入する投入機や、布類にアイロンをかけるアイロナー、布類を折り畳む折り畳み機などの各作業速度が異なることに伴って生ずることになるもので、傾斜関係は、布類の各作業機における進入位置と排出位置の相違に伴って生ずる。
【０００８】
このような隣接コンベア間における布類の乗り移りの際に、布類をコンベア表面方向へ押す押しロールを具備する。押しロールは、布類の上面に接触して、布類がコンベアから浮き上がらないように押さえるもので、これによって、押されている布類はコンベア表面に密着する状態となり、押しロールを通過するまでに皺が発生していても押しロールを通過する段階で取り除かれる。この作用は、排出側コンベアよりも進入側コンベアが高速の場合、及び排出側コンベアと進入側コンベアが等速の場合に期待することができる。また隣接コンベアが上下面内にて１８０度未満の傾斜関係をもって配置されている場合、浮き上がりの防止により、布類は各コンベア表面に沿うことになり、かつ浮き上がっている場合よりも長い距離を移動するので、変形の防止に寄与すると考えられる。
【０００９】
押しロールは、布類の搬送方向、つまりコンベア表面の移動方向に対して交差する方向に配置する。交差方向としては、ほぼ直交する方向であることが一般的であると考えられる（他に意図することがある場合には、直交ではない傾斜交差も取り得る）。さらに、押しロールは、位置固定ではなく、可動でなければならない。即ち押しロールは、布類の上面に接触してコンベア方向へ押さえるための作用位置と、布類の上面に接触しない退避位置間を移動可能に設けられている必要がある。
【００１０】
本発明による押しロールの展型的な例を示す。即ち押しロールは、進入側コンベアの方に、同コンベアの全幅に及ぶ長さをもって、コンベア表面の移動方向に対して直交配置され、コンベア側枠等に設けた支点にシーソー式に揺動可能なアームに取り付けられることにより、進入側コンベア表面に対して接触、離間可能に設けられ、アームの他端に設けた駆動部により作動させる構成である。押しロールの作動は、排出側コンベアに布類の先端の通過を検出するセンサーを設けてその信号により制御することができる。なお、押しロールは回転可能でなければならない。布類の移動とともに回転することにより、無用の抵抗を布類に与えるべきではないからである。
【発明の効果】
【００１１】
本発明は以上の如く構成されかつ作用するものであるから、隣接コンベアの一方から他方へ布類が乗り移る際に、コンベアの速度差により布類に皺等の変形を生じないようにすることができるとともに、布類に存在しなかった変形が搬送の途中で発生し、残存したまま処理され、品質を低下させることがないという効果を奏する。
【発明を実施するための最良の形態】
【００１２】
以下図示の実施形態を参照して本発明をより詳細に説明する。図１は、布類投入機１０の側面図、図２は平面図であり、布類Ｗは、図１において左側にある投入クランプ１１に人手により取り付けると、その後は自動的に搬送されて行く。
【００１３】
即ち、投入クランプ１１は渡し機構１２により、少なくとも左右一対から成る拡げクランプ１３に布類を預け渡し、拡げクランプ１３は図示しないガイドレールにより左右に移動して、投入機正面上部に布類Ｗを展張する。拡げクランプ１３は布類Ｗの位置が投入部正面の中央に来るように制御され、布類Ｗは投入部正面の中央から吸引部１４等により投入側コンベア１５上へ誘導され、さらに排出側コンベア１６により搬送される。この投入側コンベア１５と排出側コンベア１６でも布類Ｗの乗り移りが行われるが、両コンベア１５、１６は１機の布類投入機内部の機構であり、完全に同期が取られており、また傾斜関係にもないので、皴その他の変形を生じる余地はない。
【００１４】
例示の排出側コンベア１６は、排出端が低位となるように傾斜しており、その傾斜角度は、調整機能付きの支持部材１７により変更することができる。しかし次工程側の進入コンベア１８との位置関係によっては、同一平面を形成するように隣接配置することができないことがあり、そのために排出側コンベア１６と進入側コンベア１８の搬送面が図７に示すような交差角度θを形成せざるを得ない場合がある。排出コンベア側１６と進入側
コンベア１８の速度差により布類Ｗが後方から押される状態になり、さらに両コンベア
１６、１８に交差角度が付いていると、皺などの変形Ｄが発生する。
【００１５】
そこで本発明では、布類Ｗの上面に接触して進入側コンベア上面方向に押す作用をす
る、押しロール２０を進入側コンベア１６の全幅方向に渡って設ける。例示の押しロール２０は、進入コンベア表面の移動方向に対して直交するように配置され、排出コンベア側の側枠支点２１にシーソー式に揺動可能に取り付けたアーム２２の先端に回転可能に軸支されている。アーム２２の他端には、駆動部２３として設けたピストンシリンダー装置のピストン伸縮端が接続されており、ピストンロッドの伸縮により押しロール２０を進入側コンベア１８の表面に接触可能な作用位置と（図４、図５）、そこから離れた退避位置（図６、図３）を取り、かつ両位置間を往復動可能に設けられている。２４は駆動部支持部を示す。
【００１６】
排出側コンベア１６の排出端より手前には、布類Ｗの先端位置を把握するためにセンサー２５が設置されている。センサー２５は布類Ｗの先端を確認し、制御装置に情報を送信する制御装置は布類Ｗの先端を確認すると暫時の後、本発明にかかる変形防止装置を駆動する。押しロール２０及び駆動部２３等は本発明に係る変形防止装置を構成する。なお、押しロール２０は、布類Ｗの先端が通過するときには退避位置になければならない。初めから作用位置にある場合、押しロール２０によって布類Ｗの先端が巻き上げられることがあるためである。
【００１７】
本発明に係る変形防止装置の作用を図３ないし図６を参照して説明する。図３は、布類Ｗの先端が排出側コンベア１６に設置されているセンサー２５を将に通過しつつある状態を示しており、このとき押しロール２０は退避位置にある。先端が排出側コンベア１６よりも相対的に高速の進入側コンベア１８に達し、押しロール２０を通過したのち、センサー２５からの信号を受けて作動した押しロール２０が図４中時計方向へ回動し、布類Ｗに接触してこれを進入コンベア側１８の方向へ押し当てる作用位置に移動する。この作用は布類Ｗの両端を除く中間部が両コンベア１６、１８の接続部を通過する間中継続して行われる。押しロール２０により押されることによって、布類Ｗは、排出側コンベア１６の排出端から進入側コンベア１８の進入端を忠実になぞるように移動して皺を取り除き、浮き上がることもない。故に、布類Ｗとコンベア１８間に空気が入り込むこともなく、皺などの変形が防止される。
【００１８】
布類Ｗの後端が排出側コンベア１６に設置されているセンサー２５を通過すると、そのことが制御装置を経て駆動部２３に伝達され、布類Ｗを押す作用をしている押しロール
２０が図５の作用位置から反時計方向へ回動する(図６)。本発明の装置では、押しロール２０により布類Ｗを適切な作用力を加えて進入側コンベア１８の搬送面に押しているの
で、速度差の影響が遮断され進入コンベア側の搬送速度を基準として布類Ｗが搬送されるようになり、排出コンベア側の影響を受けにくいとともに、布類Ｗに空気が入りにくくなりかつ仮に空気が入っても押しロール２０で押しつぶされるので、皺やその他の変形が発生せず、或いは変形を残したまま次工程へ搬送するおそれがなくなる。このような本発明の装置は、布類投入機と次の機械との間だけでなく、隣接コンベア間の乗り移りが問題となるすべてのケースに適用されるものである。
【図面の簡単な説明】
【００１９】
【図１】本発明に係る布類における皺等の変形防止装置を適用した布類投入機の例を示す側面図。
【図２】同じく平面図。
【図３】布類の先端が排出コンベアの排出端に近付いた状態の説明図。
【図４】布類の先端が排出コンベアから進入コンベアの進入端に到達し、押しロールによる布類を押す作用が開始された状態の説明図。
【図５】布類の後端が排出コンベアから脱しつつあり、押しロールによる押す作用の終わる状態の説明図。
【図６】布類が進入コンベアに乗り移った状態の説明図。
【図７】布類に皺等の変形を生じる状態を説明する斜視図。
【図８】同上の側面図。
【符号の説明】
【００２０】
１０  布類投入機
１６  排出側コンベア
１８  進入側コンベア
２０  押しロール
２１  側枠支点
２２  アーム
２３  駆動部
２５  センサー
【図１】
2005278688.tif 000003
【図２】
2005278688.tif 000004
【図３】
2005278688.tif 000005
【図４】
2005278688.tif 000006
【図５】
2005278688.tif 000007
【図６】
2005278688.tif 000008
【図７】
2005278688.tif 000009
【図８】
2005278688.tif 000010